(57)【要約】【課題】  収納凹部に、リモコン携帯機が収納されていない場合にも、外観品質が良好であると共に、収納凹部に収納されたリモコン携帯機のガタ付きを防止できる車両用携帯機収納部構造を提供する。【解決手段】  車両１０のインストルメントパネル１１に、凹設形成される収納凹部１４を有し、車室内側開口部１５には、上側周縁部１５ａに回動軸部１６ａを介して軸支されて、スプリング部材１６ｂ，１６ｂによって、車室内側開口部１５を内側から閉塞する方向に付勢されると共に、車室内側９からの押圧により、収納凹部１４内方向へ、スプリング部材１６ｂ，１６ｂの付勢力に抗して、揺動するドア板部材１６を設けた。  ドア板部材１６の車室内側側面１６ｄには、リモコン携帯機１２収納状態で、両側側面部１２ｊ，１２ｊに一部当接されて、収納凹部１４の底面部１４ｂに対して、圧接させる圧接突起部１６ｅ，１６ｅを形成した。【選択図】  図１
2006001294.tif 000002
【特許請求の範囲】
【請求項１】
車両の車体側の一部に、リモコン携帯機を収納するように、凹設形成される収納凹部を有し、該収納凹部の車室内側開口部には、該車室内側開口部の周縁部に軸支されて、弾性部材によって、該車室内側開口部を内側から閉塞する方向に付勢されると共に、車室内側からの押圧により、該収納凹部内方向へ、該弾性部材の付勢力に抗して、揺動するドア板部材を設けて、該ドア板部材の車室内側側面には、前記リモコン携帯機が、前記収納凹部内に収納された状態で、該リモコン携帯機の外側面部に一部当接することにより、前記弾性部材の付勢力で、前記収納凹部の反対側内側面に対して、圧接させる圧接突起部を形成したことを特徴とする車両用携帯機収納部構造。
【請求項２】
前記圧接突起部は、前記リモコン携帯機の操作ボタン部の左，右両側に位置する両側側面部に各々当接するように左，右一対設けられると共に、前記弾性部材の付勢力を該リモコン携帯機の操作ボタン部が設けられている一側面側とは、反対側の外側面に当接する際にも、該操作ボタンが操作される操作力に満たない力に設定されていることを特徴とする請求項１記載の車両用携帯機収納部構造。
【発明の詳細な説明】
【技術分野】
【０００１】
本発明は、車両用携帯機収納部構造に関し、特に、トランスポンダ等の操作ボタンが露出している形状の携帯機を収納するのに用いて好適な車両用携帯機収納部構造に関するものである。
【背景技術】
【０００２】
従来の車両用携帯機収納部構造として、図１４に示すようなものが知られている（例えば、特許文献１等参照）。
【０００３】
まず、構成から説明すると、このような従来の車両用携帯機収納部構造では、シートバック部１のフィニッシャ２に、凹設形成されたリモコンユニットホルダ３には、携帯機としてのリモコン携帯機５等の小物を収納する小物入れユニット４が、装着されている。
【０００４】
この、小物入れユニット４には、上部に小物を出し入れする開口部４ａが形成されていると共に、下部に、前記リモコン携帯機５等の小物を収納可能な袋状の収納部４ｂが設けられている。
【０００５】
次に、この従来の車両用携帯機収納部構造の作用について説明する。
【０００６】
このように構成された従来の車両用携帯機収納部構造では、携帯機等のリモコン携帯機５を使用しない場合には、前記小物入れユニット４の上部から、前記開口部４ａを介して、このリモコン携帯機５を挿入して、前記収納部４ｂ内に収納する。
【０００７】
このため、前記リモコン携帯機５は、前記小物入れユニット４によって、隠されて、外観品質を良好な状態とすることができる。
【０００８】
また、トランスポンダ等の携帯機との短距離双方向通信によって、エンジンの始動許可及び不許可の認証を行う車両用電子キー装置も知られている（例えば、特許文献２等参照）。
【特許文献１】特開２００３−２３１４４３号公報（段落００１１乃至００４５，図１，図２）
【特許文献２】特開２００３−３２７０８５号公報（段落０００８乃至００４０）
【発明の開示】
【発明が解決しようとする課題】
【０００９】
しかしながら、このような従来の車両用携帯機収納部構造では、前記開口部４ａから塵が、侵入して、収納部４ｂ内に堆積する虞があった。
【００１０】
特に、運転席前方のインストルメントパネルに、略水平方向からリモコン携帯機５を挿入する形状の車両用携帯機収納部構造では、リモコン携帯機５が、非挿入状態で、収納部４ｂ内が視認出来てしまうため、外観品質を低下させる虞があった。
【００１１】
また、収納部４ｂ内に収納された前記リモコン携帯機５が小さく、収納部４ｂの内寸法に適合しない場合、車両の振動によって、ガタ付きが発生して、異音を発生させてしまうといった問題もあった。
【００１２】
更に、リモコン携帯機５の操作スイッチが、押しボタンスイッチ等で構成されていて、押圧によりスイッチが、ＯＮ，ＯＦＦされるように構成されている場合、このような車両の振動によるガタ付きで、意図しないスイッチ操作が行われてしまう虞もあった。
【００１３】
そこで、本発明は、収納凹部に、リモコン携帯機が収納されていない場合にも、外観品質が良好であると共に、収納凹部に収納されたリモコン携帯機のガタ付きを防止できる車両用携帯機収納部構造を提供することを目的としている。
【課題を解決するための手段】
【００１４】
前記目的を達成するために、請求項１の発明は、車両の車体側の一部に、リモコン携帯機を収納するように、凹設形成される収納凹部を有し、該収納凹部の車室内側開口部には、該車室内側開口部の周縁部に軸支されて、弾性部材によって、該車室内側開口部を内側から閉塞する方向に付勢されると共に、車室内側からの押圧により、該収納凹部内方向へ、該弾性部材の付勢力に抗して、揺動するドア板部材を設けて、該ドア板部材の車室内側側面には、前記リモコン携帯機が、前記収納凹部内に収納された状態で、該リモコン携帯機の外側面部に一部当接することにより、前記弾性部材の付勢力で、前記収納凹部の反対側内側面に対して、圧接させる圧接突起部を形成した車両用携帯機収納部構造を特徴としている。
【００１５】
また、請求項２に記載されたものは、前記圧接突起部は、前記リモコン携帯機の操作ボタン部の左，右両側に位置する両側側面部に各々当接するように左，右一対設けられると共に、前記弾性部材の付勢力を該リモコン携帯機の操作ボタン部が設けられている一側面側とは、反対側の外側面に当接する際にも、該操作ボタンが操作される操作力に満たない力に設定されている請求項１記載の車両用携帯機収納部構造を特徴としている。
【発明の効果】
【００１６】
このように構成された請求項１記載のものは、車両の車体側の一部に凹設形成された収納凹部に、前記リモコン携帯機を収納するように挿入すると、前記ドア板部材に該リモコン携帯機が当接することによって、該ドア板部材が、車室内側から押圧される。
【００１７】
このため、前記車室内側開口部に軸支された前記ドア板部材が、内側から閉塞する方向に付勢している前記弾性部材の付勢力に抗して、該収納凹部内方向へ揺動されて開放されながら、該リモコン携帯機が、前記収納凹部内に挿入される。
【００１８】
このように、車室内側からの挿入によって、該リモコン携帯機が前記収納凹部内に収納されると、前記ドア板部材の車室内側側面に形成された圧接突起部が、該リモコン携帯機の外側面部に一部当接することにより、前記弾性部材の付勢力で、前記収納凹部の反対側内側面に対して、圧接させる。
【００１９】
従って、前記リモコン携帯機が、前記収納凹部内に収納された状態では、車両の振動によっても、該収納凹部内でガタ付くこと無く保持される。
【００２０】
また、前記リモコン携帯機が、収納されていない状態では、前記車室内側開口部に軸支された前記ドア板部材が、内側から閉塞する方向に付勢している前記弾性部材の付勢力によって、前記車室内側開口部方向へ回動されて、閉塞状態で停止される。
【００２１】
このため、前記収納凹部に、リモコン携帯機が収納されていない場合にも、該収納凹部内は、車室内側から視認出来ないので、外観品質が良好である。
【００２２】
また、請求項２に記載されたものは、前記圧接突起部が、前記リモコン携帯機の操作ボタン部の左，右両側に位置する両側側面部に各々当接するように左，右一対設けられている。
【００２３】
このため、挿入中及び収納状態では、前記弾性部材の付勢力によって、前記操作ボタン部が押圧されて、意図しないスイッチ操作が行われてしまう虞が無い。
【００２４】
また、前記リモコン携帯機が、上下１８０度反対向きとなるように、他側面側を上方に向けて、前記収納凹部１４内に収納される場合でも、前記弾性部材の付勢力が、該リモコン携帯機の操作ボタン部が設けられている一側面側とは、反対側の外側面に当接されて、該操作ボタンを収納凹部内側面に押しつけても、操作される操作力に満たない力となるように設定されている。
【００２５】
このため、逆さに挿入したり或いは、逆さに収納された状態でも、前記弾性部材の付勢力によって、前記操作ボタン部が押圧されて、意図しないスイッチ操作が行われてしまう虞が無い。
【発明を実施するための最良の形態】
【００２６】
以下、本発明の最良の実施の形態について図面を参照して説明する。
【００２７】
なお、前記従来例と同一乃至均等な部分については、同一符号を付して説明する。
【００２８】
図１乃至図４は、本実施の形態による車両用携帯機収納部構造を示している。
【００２９】
まず、構成から説明すると、このような本実施の形態の車両用携帯機収納部構造は、車両１の車体側の一部を構成する運転席前方のインストルメントパネル１１に、リモコン携帯機１２を挿抜可能な開口部１１ａが形成されている。
【００３０】
この開口部１１ａのインストルメントパネル１１内側には、前記開口部１１ａ側に位置する一側面を開口する車室内側開口部１５を設けた略ボックス状のケース筐体１３が装着されている。
【００３１】
このケース筐体１３は、キーレスエントリ機能、ＩＤキー機能及びトランスポンダ機能を有する前記リモコン携帯機１２を収納するように、凹設形成される収納凹部１４を有している。
【００３２】
この収納凹部１４の上面側内側面には、ドア逃げ凹部１４ａが凹設形成されている。
【００３３】
この収納凹部１４の車室内側開口部１５には、この車室内側開口部１５の上側周縁部１５ａに対して、上辺部１６ｃに沿って設けられた回動軸部１６ａ，１６ａを介して軸支されて揺動可能とするドア板部材１６が設けられている。
【００３４】
このドア板部材１６は、弾性部材としてのスプリング部材１６ｂ，１６ｂによって、この車室内側開口部１５を内側から閉塞する方向に付勢されていると共に、図１中白抜き矢印に示すように、車室９内側からの押圧により、この収納凹部１４内方向へ跳ね上げられるように、前記スプリング部材１６ｂ，１６ｂの付勢力に抗して、揺動可能となるように構成されている。
【００３５】
また、このドア板部材１６の車室内側側面１６ｄには、前記リモコン携帯機１２を圧接させて保持する左，右一対の圧接突起部１６ｅ，１６ｅが形成されている。
【００３６】
この圧接突起部１６ｅ，１６ｅは、前記リモコン携帯機１２が、前記収納凹部１４内に収納された状態で、このリモコン携帯機１２の各種第１〜第４押しボタンスイッチ１２ｄ〜１２ｇを有する操作ボタン部１２ｂが設けられた外側面部１２ａの一側面側１２ｈ、又は、この一側面側１２ｈとは、反対側の外側面部１２ａを構成する平坦状の裏面の他側面側１２ｉの何れかに、一部が当接されることにより、前記スプリング部材１６ｂ，１６ｂの付勢力で、前記収納凹部１４の反対側内側面である平坦状の底面部１４ｂに対して、圧接させるように構成されている。
【００３７】
また、この圧接突起部１６ｅ，１６ｅは、一定の幅方向寸法ｗ１，ｗ１を有して、側面視略半円形状の小片状を呈することにより、長手方向を前記リモコン携帯機１２の挿入方向と一致させてなる弓円弧状の頭頂面部１６ｆ，１６ｆが設けられていて、このドア板部材１６と一体となるように形成されている。
【００３８】
そして、この実施の形態の前記圧接突起部１６ｅ，１６ｅが、前記リモコン携帯機１２の操作ボタン部１２ｂの左，右両側に位置する両側側面部１２ｊ，１２ｊに各々当接されるように、前記操作ボタン部１２ｂの幅寸法ｗ２のよりも、幅広となるように離間される幅寸法ｗ３を有して左，右一対設けられている。
【００３９】
また、この実施の形態では、図１１乃至図１３に示すように、前記リモコン携帯機１２が、上下１８０度反対向きとなるように、前記外側面１２ａのうち、他側面側１２ｉを上方に向けて、前記収納凹部１４内に収納される場合では、前記スプリング部材１６ｂ，１６ｂの付勢力が、このリモコン携帯機１２の操作ボタン部１２ｂが設けられている一側面側１２ｈとは、反対側の外側面１２ｉに当接される前記ドア板部材１６の圧接突起部１６ｅ，１６ｅを介して、このリモコン携帯機１２を前記底面部１４ｂに対して、圧接させるように伝達される。
【００４０】
このように、前記リモコン携帯機１２が、上下１８０度反対向きとなるように、逆さに挿入されて、前記操作ボタン部１２ｂが、前記平坦状の底面部１４ｂに対して、圧接される状態となっても、各第１〜第４押しボタンスイッチ１２ｄ〜１２ｇを、操作するために必要とされる操作力に満たないように、これらのスプリング部材１６ｂ，１６ｂの付勢力が、設定されている。
【００４１】
更に、この実施の形態のリモコン携帯機１２では、前記操作ボタン部１２ｂの各第１〜第４押しボタンスイッチ１２ｄ〜１２ｇ間には、突設突起部１２ｋ，１２ｋが、各々前記第１〜第４押しボタンスイッチ１２ｄ〜１２ｇの押圧表面の高さよりも高くなるように構成されている。
【００４２】
次に、この実施の形態の車両用携帯機収納部構造の作用について、説明する。
【００４３】
この実施の形態の車両用携帯機収納部構造では、まず、図２乃至図４に示すように、前記リモコン携帯機１２を車室９内側から、車両１の車体側のインストルメントパネル１１に凹設形成された収納凹部１４に、収納するように挿入する。
【００４４】
この際、図５乃至図７に示されるように、前記ドア板部材１６に、このリモコン携帯機１２の外側面部１２ａの前端縁が当接されることによって、前記ドア板部材１６が、車室９内側から押圧される。
【００４５】
このため、前記車室内側開口部１５の上側周縁部１５ａに軸支された前記ドア板部材１６を、内側から車室９内方向へ閉塞する方向に付勢している前記スプリング部材１６ｂ，１６ｂの付勢力に抗して、この収納凹部１４内方向へ跳ね上げられるように揺動されて開放されながら、このリモコン携帯機１２が、前記収納凹部１４内に挿入される。
【００４６】
このように、車室９内側からの挿入によって、リモコン携帯機１２が、前記収納凹部１４内に収納される際、図５乃至図９に示すように、前記ドア板部材１６の車室内側側面１６ｄに形成された圧接突起部１６ｅ，１６ｅが、このリモコン携帯機１２の外側面部１２ａのうち、操作ボタン部１２ｂの左，右両側の両側側面部１２ｊ，１２ｊに各々頭頂面部１６ｆ，１６ｆの一部を摺接させながらスライド挿入される。
【００４７】
そして、図８乃至図１０に示すように、この収納凹部１４の奥端面１４ｃに、リモコン携帯機１２の先端部が到達する収納状態では、このリモコン携帯機１２が、後側略半分を、車室９内側に突設させたまま、各々頭頂面部１６ｆ，１６ｆの一部が、操作ボタン部１２ｂの左，右両側の両側側面部１２ｊ，１２ｊに当接されて、前記スプリング部材１６ｂ，１６ｂの付勢力で、前記収納凹部１４の反対側内側面である底面部１４ｂに対して、圧接される。
【００４８】
このため、前記リモコン携帯機１２が、前記収納凹部１４内に収納された状態では、車両の振動によっても、この収納凹部１４内でガタ付くこと無く保持される。
【００４９】
しかも、この実施の形態では、前記頭頂面部１６ｆ，１６ｆの一部が、操作ボタン部１２ｂの左，右両側の両側側面部１２ｊ，１２ｊに当接されて、左，右の二点で良好なバランスを保った状態で、前記リモコン携帯機１２を保持することができる。
【００５０】
このため、前記スプリング部材１６ｂ，１６ｂの付勢力を弱く設定しても、ガタ付きを発生させることが無くなる。
【００５１】
また、前記リモコン携帯機１４が、前記収納凹部１４から取り出される際にも、前記ドア板部材１６の車室内側側面１６ｄに形成された圧接突起部１６ｅ，１６ｅを、このリモコン携帯機１２の外側面部１２ａのうち、操作ボタン部１２ｂの左，右両側の両側側面部１２ｊ，１２ｊに、各々頭頂面部１６ｆ，１６ｆの一部に摺接されながら、スライド抜出される。
【００５２】
このため、前記操作ボタン部１２ｂの各第１〜第４押しボタンスイッチ１２ｄ〜１２ｇが、押圧されることなく、円滑に抜出される。
【００５３】
また、抜出時に、図２乃至図４に示すように、前記車室内側開口部１５に軸支された前記ドア板部材１６が、内側から閉塞する方向に付勢している前記スプリング部材１６ｂの付勢力によって、前記車室内側開口部１５方向へ回動されて、閉塞状態で停止される。
【００５４】
この際、この実施の形態では、前記スプリング部材１６ｂ，１６ｂの付勢力が弱く設定されているので、閉塞状態で停止される際の打撃音も減少させることができる。
【００５５】
このため、前記収納凹部１４に、リモコン携帯機１２が収納されていない場合にも、収納凹部１２内は、車室内側から視認出来ないので、外観品質が良好である。
【００５６】
このように、前記圧接突起部１６ｅ，１６ｅが、前記リモコン携帯機１２の操作ボタン部１２ｂの左，右両側に位置する両側側面部１２ｊ，１２ｊに各々当接するように左，右一対設けられている。
【００５７】
このため、挿入中及び収納状態では、前記スプリング部材１６ｂの付勢力によって、前記操作ボタン部１２ｂの何れかの第１〜第４押しボタンスイッチ１２ｄ〜１２ｇが押圧されて、意図しないスイッチ操作が行われてしまう虞が無い。
【００５８】
また、図１１乃至図１３に示すように、前記リモコン携帯機１２が、上下１８０度反対向きとなるように、他側面側１２ｉを上方に向けて、前記収納凹部１４内に収納される場合では、前記スプリング部材１６ｂ，１６ｂの付勢力が、このリモコン携帯機１２の操作ボタン部１２ｂが設けられている一側面側１２ｈとは、反対側の他側面側１２ｉ外側面に当接されて、操作ボタン１２ｂを収納凹部１４の内側面である底面部１４ｂに押しつける虞がある。
【００５９】
しかしながら、このような場合でも、この実施の形態のスプリング部材１６ｂ，１６ｂの付勢力が、操作される操作力に満たない力となるように設定されている。
【００６０】
このため、逆さに挿入したり或いは、逆さに収納された状態でも、前記スプリング部材１６ｂ，１６ｂの付勢力によって、前記操作ボタン部１２ｂの何れかの第１〜第４押しボタンスイッチ１２ｄ〜１２ｇが押圧されて、意図しないスイッチ操作が行われてしまう虞が無い。
【００６１】
このため、前記リモコン携帯機１２の前記操作ボタン部１２ｂの何れかの第１〜第４押しボタンスイッチ１２ｄ〜１２ｇの突設量や或いは、押圧力等の設定の自由度を増大させることができる。
【００６２】
更に、この実施の形態のリモコン携帯機１２では、図１２，図１３に示すように、前記操作ボタン部１２ｂの各第１〜第４押しボタンスイッチ１２ｄ〜１２ｇ間に突設形成された突設突起部１２ｋが、各々前記第１〜第４押しボタンスイッチ１２ｄ〜１２ｇの押圧表面の高さよりも高い位置で底面部１４ｂに当接するので、意図しないスイッチ操作が行われてしまう虞を、更に、減少させることが出来、少ない付勢力で、ガタ付きを防止しながら、リモコン携帯機１２を保持できる。
【００６３】
また、この実施の形態のリモコン携帯機１２は、左，右一対の圧接突起部１６ｅ，１６ｅに当接される外側面部１２ａが、やや丸みを帯びるように上方に凸形状を呈する曲面から構成される一側面側１２ｈ或いは、平坦形状を呈する他側面側１２ｉからなる外側面１２ａを有して、構成されていて、何れの側面側１２ｈ又は１２ｉが、これらの圧接突起部１６ｅ，１６ｅに当接された状態でも、安定して前記収納凹部１４内で保持される。
【００６４】
しかも、この実施の形態のように、前記圧接突起部１６ｅ，１６ｅの離間される幅寸法ｗ３の内側で、幅寸法ｗ２が、この幅寸法ｗ３よりも狭い範囲内であれば、この前記リモコン携帯機１２の操作ボタン部１２ｂの形状、及び寸法等を自由に設定できる。
【００６５】
このため、リモコン携帯機１２の造形の自由度を更に向上させることができる。
【００６６】
以上、図面を参照して、本発明の最良の実施の形態を詳述してきたが、具体的な構成は、この実施の形態に限らず、本発明の要旨を逸脱しない程度の設計的変更は、本発明に含まれる。
【００６７】
例えば、前記実施の形態では、収納凹部１４の内側面である底面部１４ｂを平坦面となるように構成したが、前記ドア板部材１６の車室内側側面１６ｄに形成された左，右一対の圧接突起部１６ｅ，１６ｅと、対向する位置に、突起部等を左，右一対を設けてもよい。
【図面の簡単な説明】
【００６８】
【図１】本発明の最良の実施の形態の車両用携帯機収納部構造を示し、全体の構成を説明する分解斜視図である。
【図２】実施の形態の車両用携帯機収納部構造で、リモコン携帯機が車室内側にある挿入前の様子を説明する上面図である。
【図３】実施の形態の車両用携帯機収納部構造で、リモコン携帯機が車室内側にある挿入前の様子を説明する図２中Ａ−Ａ線に沿った位置での断面図である。
【図４】実施の形態の車両用携帯機収納部構造で、リモコン携帯機が車室内側にある挿入前の様子を説明する図２中Ｂ−Ｂ線に沿った位置での断面図である。
【図５】実施の形態の車両用携帯機収納部構造で、リモコン携帯機を車室内側から挿入する様子を説明する上面図である。
【図６】実施の形態の車両用携帯機収納部構造で、リモコン携帯機を車室内側から挿入する様子を説明する図５中Ｃ−Ｃ線に沿った位置での断面図である。
【図７】実施の形態の車両用携帯機収納部構造で、リモコン携帯機を車室内側から挿入する様子を説明する図５中Ｄ−Ｄ線に沿った位置での断面図である。
【図８】実施の形態の車両用携帯機収納部構造で、リモコン携帯機を車室内側から収納凹部内に挿入した様子を説明する上面図である。
【図９】実施の形態の車両用携帯機収納部構造で、リモコン携帯機を車室内側から収納凹部内に挿入した様子を説明する図８中Ｅ−Ｅ線に沿った位置での断面図である。
【図１０】実施の形態の車両用携帯機収納部構造で、リモコン携帯機を車室内側から収納凹部内に挿入した様子を説明する図８中Ｆ−Ｆ線に沿った位置での断面図である。
【図１１】実施の形態の車両用携帯機収納部構造で、リモコン携帯機を上下逆さに車室内側から収納凹部内に挿入した様子を説明する上面図である。
【図１２】実施の形態の車両用携帯機収納部構造で、リモコン携帯機を上下逆さに車室内側から収納凹部内に挿入した様子を説明する図１１中Ｇ−Ｇ線に沿った位置での断面図である。
【図１３】実施の形態の車両用携帯機収納部構造で、リモコン携帯機を上下逆さに車室内側から収納凹部内に挿入した様子を説明する図１１中Ｈ−Ｈ線に沿った位置での断面図である。
【図１４】従来例の車両用携帯機収納部構造で、シートバック部の斜視図である。
【符号の説明】
【００６９】
１０                            車両
１１                            インストルメントパネル（車体側の一部）
１２                            リモコン携帯機
１２ｂ                          操作ボタン部
１２ｊ，１２ｊ                  両側側面部
１４                            収納凹部
１４ｂ                          底面部（反対側内側面）
１５                            車室内側開口部
１５ａ                          上側周縁部（周縁部）
１６                            ドア板部材
１６ｂ，１６ｂ                  スプリング部材（弾性部材）
１６ｄ                          車室内側側面
１６ｅ，１６ｅ                  圧接突起部
【図１】
2006001294.tif 000003
【図２】
2006001294.tif 000004
【図３】
2006001294.tif 000005
【図４】
2006001294.tif 000006
【図５】
2006001294.tif 000007
【図６】
2006001294.tif 000008
【図７】
2006001294.tif 000009
【図８】
2006001294.tif 000010
【図９】
2006001294.tif 000011
【図１０】
2006001294.tif 000012
【図１１】
2006001294.tif 000013
【図１２】
2006001294.tif 000014
【図１３】
2006001294.tif 000015
【図１４】
2006001294.tif 000016